(57)【要約】【課題】解錠信号を送出する送信ユニットがバッテリ切れになっても、パチンコ機の枠体やガラス窓に取り付けた施錠機構のロックを解除できるようにする。【解決手段】１２Ｖの電圧が印可されている受信ユニット５の端子５ａ，５ａに、送信ユニット１の電気的接点端子１ａ，１ａを接触させて内蔵されたコンデンサに蓄電を行い、その蓄電された電力を利用して押しボタンスイッチ４の操作により解錠信号を送出可能とする。送信ユニット１には蓄電完了ランプ２とガラス窓と窓枠とのいずれのロックを解除するかを選択するための切り換えスイッチ３とを設ける。【選択図】    図１
2005023581.tif 000002
【特許請求の範囲】
【請求項１】
解錠信号を送出する送信ユニットと、その送信ユニットから送出された解錠信号が所定の信号コードと一致することを確認したら施錠装置に解錠指令を発し、施錠機構のロックを解除する解錠装置にあって、送信ユニットを受信ユニットに接近或いは接触作用させることにより、送信ユニットと受信ユニットとの相互間において電源の供給を可能とした解錠装置。
【請求項２】
電源の供給に電磁誘導手段を利用した請求項１に記載の解錠装置。
【請求項３】
電源が受信ユニットから送信ユニットに供給される請求項１に記載の解錠装置。
【請求項４】
電源が送信ユニットから受信ユニットに供給される請求項１に記載の解錠装置。
【発明の詳細な説明】
【０００１】
【発明の属する技術分野】
本発明は、解錠信号を送出する送信ユニットと、その送信ユニットから送出された解錠信号が適正であることを確認したら施錠装置に解錠指令を発し、施錠機構のロックを解除する解錠装置に関する。
【０００２】
【従来の技術】
例えばパチンコ機にあっては、特許文献１や特許文献２に記載のように、電波、赤外線、超音波等の無線手段を利用した送信ユニットからの解錠信号、或いはコントロールセンターから有線手段を利用して送られる解錠信号により、アクチュエータを作動させてロックを解除するリモートコントロール式の解錠装置が提案されている。
このように、無線手段や有線手段を利用して送られる解錠信号によってロックを解除するリモートコントロール式の解錠装置は、解錠信号を送信するにしても受信するにしても電源が必要である。
送信ユニットは携帯性を重視し、電源は内蔵されているバッテリから供給を受ける構造が圧倒的に多く、一方、受信ユニットは、施錠装置と一体化させることによって電源が確保されている施錠装置から簡単に電源の供給を受けることができることから、施錠装置の電源を流用するのが効率的といえる。
【０００３】
【特許文献１】
特開平５−２９３２３６号公報
【特許文献２】
特開平８−５７１３２号公報
【０００４】
【発明が解決しようとする課題】
送信ユニットの小型化には小さな電池を使用するのが理想的ではあるものの、小さい電池はそれだけ容量が少ないので短時間で電池が消耗し、解錠操作が不能となってしまう事態が予想される。
一方受信ユニットが施錠装置と一体化して製品化されていれば、製品化された機器はその受信ユニットが組み込まれた仕様にて保安基準等をクリアしたものとして認可を受けているので、制約を受けること無く自由に設置できる。
しかし予め機器に組み付けられている受信ユニットと交換したり、新たに取り付ける後付けタイプでは、電気的な配線工事を伴うばかりか、機器の仕様変更、改造に該当するため、保安基準に適合することを裏付ける新たな認可が必要になる。
特にパチンコホールなどの施設では、制約が厳しく、改造は敬遠される傾向が強い。
【０００５】
【課題を解決するための手段】
本発明は、少なくとも一方に電源が確保されさえいれば、ロックの解除を可能とする解錠装置であって、その構成は、解錠信号を送出する送信ユニットと、その送信ユニットから送出された解錠信号が所定の信号コードと一致することを確認したら施錠装置に解錠指令を発し、施錠機構のロックを解除する解錠装置にあって、送信ユニットを受信ユニットに接近或いは接触作用させることにより、送信ユニットと受信ユニットとの相互間において電源の供給を可能としたことにある。
【０００６】
前記電源の供給には、電磁誘導手段を好適利用することができ、電源は受信ユニットから送信ユニットに供給される場合と、送信ユニットから受信ユニットに供給される場合とが含まれる。
【０００７】
【発明の実施の形態】
以下に、本発明をパチンコ機に実施した一例を図面に基づいて説明する。
図１は送信ユニットと受信ユニットとを示したもので、送信ユニット１は先細ったいちじく形で、先端に一対の接触端子１ａ，１ａを有し、上面には蓄電確認用のＬＥＤランプ２と、解錠対象がガラス窓か窓枠かいずれであるかを選択するスライド式の切り換えスイッチ３とを備えている。
又この送信ユニット１には、その送信ユニット１の両サイドを親指と人差し指とで挟み持った場合、親指をあてがって押しやすい位置に解錠信号送信用の押しボタンスイッチ４が配置されている。
尚、この送信ユニット１は、先端の端子から解錠信号を送出する回路（図示せず）を備えているが、その回路を駆動するための電源（バッテリ）は内蔵されていない。
【０００８】
一方受信ユニット５はパチンコ機６の右端部分に内蔵されており、パチンコ機６の前面に窪みを設け、その窪み内に一対の電源端子５ａ，５ａを備えていて、前記送信ユニット１から送出された解錠信号が所定の信号コードと一致することを確認したら施錠装置に解錠指令を発し、図示しない施錠機構のロックを解除するようになっている。
そしてこの受信ユニット５は商用電源から電力の供給を受けており、電源端子５ａ，５ａには１２Ｖの電圧が印可されている。
【０００９】
この実施例は、押しボタンスイッチ４を押しても、端子同士が接触していないと解錠信号の伝達が行われない接触タイプであって、しかも前記したように電源は内蔵されていない。
使用するには、図２の（ａ）に示すように、送信ユニット１の接触端子１ａ，１ａを受ユニット５の電源端子５ａ．５ａに接触させることにより、図３に示すように受信ユニット５から送信ユニット１に１２Ｖの電源が供給され、コンデンサ７に蓄えられてＬＥＤランプ２が点灯する。
ＬＥＤランプ２の点灯を確認したら、切り換えスイッチ３で希望の解錠対象が選択されていることを確認の上、電源端子５ａと接触端子１ａとが接触された状態を保ったまま押しボタンスイッチ４を押すと、両端子１ａ，５ａを介して解錠信号が伝達される。
【００１０】
このように、バッテリが内蔵されていない送信ユニットでも、図４に示す手順を実行すれば、受信ユニットから電源の供給を受けることで解錠信号を送出し、解錠動作することができるので、バッテリを省略し、送信ユニットを小型化するには極めて効果的である。
【００１１】
前記実施例は接触タイプであるが、非接触タイプとすることも可能である。
その場合、接触子は必要ないが、双方にコイル８，９を設け、電磁誘導によって電力の供給を行う。
以下、図面は電源の伝達に関連した要部のみを示す。
図５に示すように、受信ユニット５’のコイル８に電圧を印可させておけば、接近させた送信ユニット１のコイル９に起電力が生じ、接触式と同様な効果を得る。
又この場合解錠信号には音波、電波、赤外線などの無線手段が活用される。
【００１２】
これらいずれの実施例も送信ユニットはバッテリを内蔵していないが、バッテリ内蔵型であっても、バッテリ切れに備え、受信ユニットから電源の供給を受け、コンデンサに蓄電したりバッテリに充電させることもできる。
【００１３】
更にこれらの実施例とは逆に、受信ユニットの電源の確保が困難な場合や停電時を予想し、図６に示すように、電源が供給されていない受信ユニット５’’に対して、送信ユニット１’’から電源を供給する構造を採用することもできる。
いずれもパチンコホールなどにおいての需要が期待される。
【００１４】
実施例はパチンコ機について説明したが、スーツケース、金庫の扉、車両のドア、建物の出入り口など、あらゆる施錠装置に適用でき、解錠信号を受信した受信ユニットには、フィードバックして信号コードを再確認させたり、ＩＤや特殊な信号を加えてセキュリティを高めることができる。
そして送信ユニット、受信ユニットの形態や供給される電源電圧などは、本発明の目的が達成される範囲内で適宜変更して差し支えない。
【００１５】
【発明の効果】
以上詳述したように、本発明によれば、送信ユニットと受信ユニットのうち少なくとも一方に電源が確保されていれば、解錠信号の伝達、信号コードの確認及び解錠指令を発することが可能となる。
電源の供給に電磁誘導手段を採用すれば、操作性に優れた非接触タイプの解錠装置に好適となり、電源が受信ユニットから送信ユニットに供給されるようにすれば、送信ユニットのバッテリを不要にでき、電源が送信ユニットから受信ユニットに供給されるようにすれば、受信ユニットの電源確保が不可能な条件にも対応できる。
【図面の簡単な説明】
【図１】本発明に係る解錠装置の説明図である。
【図２】接触式を例にした電源供給の操作例を示した説明図である。
【図３】接触式における電源供給の説明図である。
【図４】動作の流れを示したブロック図である。
【図５】非接触式における電源供給の説明図である。
【図６】電源供給の変更例を示した説明図である。
【符号の説明】
１、１’’・・送信ユニット、１ａ・・電気的接点端子、２・・ＬＥＤランプ、３・・切り換えスイッチ、４・・押しボタンスイッチ、５、５’’・・受信ユニット、６・・パチンコ機、７・・コイル、８・・コンデンサ
【図１】
2005023581.tif 000003
【図２】
2005023581.tif 000004
【図３】
2005023581.tif 000005
【図４】
2005023581.tif 000006
【図５】
2005023581.tif 000007
【図６】
2005023581.tif 000008